(57)【要約】【課題】２つのフェンス連結するとき、ストレートに連結する場合と直角に連結する場合のどちらにでも対応できる。【解決手段】中空で方形の断面を有するとともにフェンス本体２の胴縁６の端部に突合せられる側壁の端部に縦長の切欠部３を設けた支柱１と、上記支柱の開口端を塞ぐキャップ本体から垂直に軸体２４ａ、２４ｂ、２４ｃを突出させた支柱キャップ２２と、一側に上記胴縁に嵌合する嵌合部を、他側に支柱キャップの略中央部まで入り込む山形の頭部１２形成し、該頭部には上下方向に貫通する貫通孔１４を形成するとともに、嵌合部と頭部との間には上記支柱の切欠き部に係合する係合溝１３を備えたジョイント部材とを備え、上記ジョイント部材の貫通孔には上記支柱キャップの軸体を嵌合させた。【選択図】　　　　図１
2004068442.tif 000002
【特許請求の範囲】
【請求項１】
中空で方形の断面を有するとともにフェンス本体の胴縁の端部に突合せられる側壁の端部に縦長の切欠部を設けた支柱と、上記支柱の開口端を塞ぐキャップ本体から垂直に軸体を突出させた支柱キャップと、一側に上記胴縁に嵌合する嵌合部を、他側に支柱キャップの略中央部まで入り込む山形の頭部を形成し、該頭部には上下方向に貫通する貫通孔を形成するとともに、嵌合部と頭部との間には上記支柱の切欠き部に係合する係合溝を備えたジョイント部材とを備え、上記ジョイント部材の貫通孔には上記支柱キャップの軸体を嵌合させたことを特徴とするフェンスにおける胴縁と支柱との取付装置。
【発明の詳細な説明】
【０００１】
【発明の属する技術分野】
本発明は、フェンスにおける胴縁と支柱の取付けを、フェンスをストレートに連結する場合と直角に連結する場合に対応できる、フェンスにおける胴縁と支柱との取付装置に関する。
【０００２】
【従来技術】
フェンスにおける支柱と胴縁との取付け態様については、例えば、胴縁にジョイント部材を結合し、このジョイント部材の蟻形突起の頚部を支柱の切欠部に係合させるとともに、蟻形突起に支柱キャップの引寄溝を係合させるものが、特開平８−３０３０６７号公報により知られている。
【０００３】
しかしながら、ジョイント部材に蟻形突起を設ける構造では、支柱の隣り合う側壁に切欠部を設けて、これら切欠部に胴縁に取り付けたジョイント部材の蟻形突起を係合させようとしても、蟻形突起の端部が干渉し合って係合させることはできないので、支柱と胴縁とを直角状に取り付けることはできない欠点があった。
【０００４】
【発明が解決しようとする課題】
本発明は上記問題点を解消し、支柱を介して２つのフェンス連結するとき、フェンスをストレートに連結する場合と直角に連結する場合のどちらにでも対応できる、フェンスにおける支柱と胴縁との取付装置を提供することをその課題とする。
【０００５】
【課題を解決するための手段】
前記課題を解決するため、本発明に係るフェンスにおける支柱と胴縁との取付装置は、中空で方形の断面を有するとともに、フェンス本体の胴縁の端部に突合せられる側壁の端部に縦長の切欠部を設けた支柱と、上記支柱の開口端を塞ぐキャップ本体から垂直に軸体を突出させた支柱キャップと、一側に上記胴縁に嵌合する嵌合部を、他側に支柱キャップの略中央部まで入り込む山形の頭部を形成し、該頭部には上下方向に貫通する貫通孔を形成するとともに、嵌合部と頭部との間には上記支柱の切欠き部に係合する係合溝を備えたジョイント部材とを備え、上記ジョイント部材の貫通孔には上記支柱キャップの軸体を嵌合させたことを特徴とする。
【０００６】
【発明の実施の形態】
図１はストレートに連結されるフェンスの一部分を、図３は直角に連結されるフェンスの一部分を示している。これらフェンスは、間隔をおいて列設した支柱１の間に、フェンス本体２を配置して、このフェンス本体２の側端を支柱１に連結してなるものである。
【０００７】
支柱１は中空で略正四角形の断面を有する金属型材から形成され、ストレートに連結されるフェンスを構成する場合は、フェンス本体の胴縁の端部に突合せられる側壁の上端に図１、図２のように縦長の切欠部３、３が形成され、直角状に連結されるフェンスの場合は、隣り合う側壁の上部に図３、図４のように縦長の切欠部３、３が形成されるとともに、切欠部が形成された側壁の下部には、コ字形の受金具４が取り付けられている。
【０００８】
フェンス本体２は、中空の金属型材から形成された上部及び下部の胴縁６及び７と、これら胴縁６及び７の間に配置した中空の金属型材製の縦桟８とから構成され、上部の胴縁６の端部にはジョイント部材９が結合され、下部の胴縁７の端部内側には内部ブラケット１０が配置されている。
【０００９】
支柱キャップ２２は硬質の合成樹脂により一体成形されたもので、図５及び図６に示されるように、支柱１の開口を塞ぐキャップ本体２３と、キャップ本体２３の下面に間隔をおいて突出する３個の軸体２４ａ、２４ｂ、２４ｃと、これら軸体の間に断面がＸ字形をなすように配した補強リブ２５と、開口の内縁へ係合して支柱キャップ２２を支柱１と位置合せする位置合わせ部材２６と、支柱キャップ２２を支柱１の１つの側壁の内面に沿って当接される取付片２７とが形成されている。上記軸体２４ａ、２４ｂ、２４ｃは、キャップ本体２３に対して垂直に形成されている。なお、取付片２７にはネジ孔２９が設けられている。
【００１０】
ジョイント部材９は硬質の合成樹脂により一体成形されたものであり、図７及び図８に示す通り、一側に上記胴縁６に嵌合する嵌合部１１を、他側に支柱キャップ２２の略中央部まで入り込む山形の三角形状頭部１２を形成し、該頭部１２には上下方向に貫通する貫通孔１４を形成するとともに、嵌合部１１と頭部１２との間には上記支柱の切欠き部３、３に係合する係合溝１３を備えたものである。
【００１１】
内部ブラケット１０は図９に示すように、硬質の合成樹脂により断面がコ字形に形成され、下側の胴縁７内へ開口部を上に向けて挿入し、側面に設けたネジ孔１８へ受金具４の孔１９と胴縁７の側面に設けた凹条２０とに挿し通したネジ２１を締め込んで、胴縁７の端部に受金具４を固定する。
【００１２】
上記構成において、フェンス本体２を支柱１を介して直線状（ストレート）に連結するときは、図１に示すように、相対する側壁の上部に切欠部３、３を設けた支柱１を用い、上部の胴縁６にジョイント部材９を結合する。つまり、ジョイント部材９は、図９のように、嵌合部１１を胴縁６内へ嵌合し、側面に設けたネジ孔１５に胴縁６の側面に設けた凹条１６から挿入したネジ１７をねじ込んでジョイント部材９を胴縁６へ固定する。また、下部の胴縁７には内部ブラケット１０を固定しておく。そして、フェンス本体２、２を支柱１の両側に配置し、フェンス本体２を図１に矢印で示すように持ち上げ、ジョイント部材９、９の頚部１３、１３が支柱１の切欠部１４、１４に対応した状態でフェンス本体２、２を下降させる。すると、ジョイント部材９、９の係合溝１３、１３は支柱１の切欠部３、３にスライドして係合し、下の胴縁７の端部は受金具４、４に納める。その後、支柱１の上端へ支柱キャップ２２を嵌合して、３個の軸体のうち軸体２４ａ、２４ｂをそれぞれ支柱１内で図２に示すジョイント部材９、９の頭部の貫通孔１４、１４に嵌合し、両方のジョイント部材９、９を連結する。さらに、支柱キャップ２２の取付片２７に設けたネジ孔２９に支柱１の側壁からネジ２８を締め込み、下胴縁７に挿入した内部ブラケット１０に対しては、受金具４の孔から下胴縁７の凹溝２０を通してネジ２１を締め込めば、フェンス本体２の上部及び下部の胴縁６、７が支柱１の両側に取り付けられ、２つのフェンスがストレートに連結される。
【００１３】
上述のように、ストレートに構成されたフェンスは、支柱キャップ２２の取付片２７に締め込んだネジ２８と、内部ブラケット１０に締め込んだネジ２１とを取り外し、支柱１から支柱キャップ２２を取り外せば、フェンス本体２の上部及び下部の胴縁６、７が支柱１より分離されるため、フェンス本体２を支柱１より簡単に取り外すことができる。
【００１４】
また、フェンス本体２を支柱１へ直角状に連結するときは、図３に示すように、隣り合う側壁の上部に切欠部３、３を設けた支柱１を用い、この支柱１の左側と手前側に上部の胴縁６の端部にジョイント部材９を上述と同じ要領で結合し、下部の胴縁７の端部に内部ブラケット１０を挿入したフェンス本体２、２を配置する。そして、図３に矢印で示すようにフェンス本体２、２を持ち上げ、ジョイント部材９、９の係合溝１３、１３が支柱１、１の切欠部３、３上に対応したとき、フェンス本体２を下降させると係合溝１３、１３が切欠部３、３に係合する。そこで、支柱１の上部に支柱キャップ２２を嵌合して、３個の軸体のうちの軸体２４ａ、２４ｃを、図４に示すように、支柱１内に並ぶ頭部１２、１２の貫通孔１４、１４に嵌合すると、両方のジョイント部材９、９が連結されるから、この場合は、支柱１の隣り合う側壁に上下の胴縁６、７が取り付けられて直角状のフェンスが連結構成される。この直角状のフェンスもネジ２８とネジ２１とを取り外し、支柱キャップ２２を外せば、フェンス本体２を簡単に取り外すことができる。
【００１５】
なお、上下の胴縁又は下部の胴縁を、上述の例と同様にして、ジョイント部材と支柱キャップで固定するように構成してもよい。
【００１６】
【発明の効果】
請求項１に係る発明によれば、支柱の１つの側壁の切欠部に、フェンス本体の胴縁の端部に結合したジョイント部材を係合させ、さらにジョイント部材の貫通孔に支柱キャップの軸体を嵌合させれば、支柱の一側にフェンス本体が連結される。次に、上記側壁と相対する側壁の切欠き部に、同様にして他のフェンス本体の胴縁に結合したジョイント部材を係合させ、さらにその貫通孔に支柱キャップの軸体を嵌合させれば、上記２つのフェンス本体は支柱を介してストレートに連結される。これに対し、上記２つのフェンス本体を支柱の隣り合う側壁を介して連結させるようにすれば、両フェンス本体は直角に連結される。このように、支柱を介して２つのフェンス本体を連結するとき、フェンス本体をストレートに連結する場合と直角に連結する場合のどちらにでも対応することができる。
【００１７】
また、ストレート状と直角状の２種類のフェンス構成において、支柱だけは切欠部の位置が異なる２種類を必要とするが、他の部品はすべて同一の物を共用できるため、異なる仕様のフェンスをほぼ同一コストで提供することができる。
【図面の簡単な説明】
【図１】ストレートに連結されたフェンスの組立状態を示す斜視図
【図２】組立後の要部を拡大して示す平面図
【図３】直角状フェンスの組立状態を示す斜視図
【図４】組立後の要部を拡大して示す平面図
【図５】支柱キャップの斜視図
【図６】支柱キャップの底面図
【図７】ジョイント部材の平面図
【図８】ジョイント部材の中央縦断面図
【図９】上側の胴縁にジョイント部材を結合し、下側の胴縁に内部ブラケットを挿入する状態の斜視図
【符号の説明】
１　支柱
２　フェンス本体
３　切欠部
９　ジョイント部材
１２　頭部
１３　係合溝
１４　貫通孔
２２　支柱キャップ
２４ａ、２４ｂ、２４ｃ　軸体
【図１】
2004068442.tif 000003
【図２】
2004068442.tif 000004
【図３】
2004068442.tif 000005
【図４】
2004068442.tif 000006
【図５】
2004068442.tif 000007
【図６】
2004068442.tif 000008
【図７】
2004068442.tif 000009
【図８】
2004068442.tif 000010
【図９】
2004068442.tif 000011